(57)【特許請求の範囲】
【請求項１】
再書き込み不能な追記型光ディスクを装着してデータの書き込みを行う光ドライブ装置のレーザ書込み出力を校正する方法であって、
複数の記録バンドを持ち、各バンドが、校正セクタ及びスペア・データ・セクタとして共用可能な複数の共用セクタから成る共用予約領域並びにユーザ・データ・セクタとして専用される複数のセクタから成るユーザ領域に区分される再書込み不能な追記型光ディスクを、ドライブ装置に装着するステップと、
光ヘッドを選択されたバンドに移動させるステップと、
レーザ書込み出力を校正するための校正プロセスを開始すべきか否かを予め定めた基準に基づいて決定するステップと、
前記校正プロセスの開始が決定された場合には、前記選択済みバンド内の前記共用予約領域を走査して次に利用可能な未使用の校正セクタとして動的に割当られている未使用の共用セクタまでシークするステップと、
前記未使用の校正セクタに複数の書込み出力レベルを使用して複数の書込み出力校正パターンを書込むステップと、
前記校正セクタから前記校正パターンを読取るステップと、
前記読取り校正パターンの品質に基づいて、前記光ディスク上のバンド内のユーザ・データ・セクタにデータを記録するために用いられる書込み出力値を決定するステップと、
を含む方法。
【請求項２】
前記ディスクには、校正セクタ及びスペア・データ・セクタとして共用可能で、かつ、複数のバンドに共用可能な複数の追加の共用セクタから成る共通オーバフロー領域が追加の共用予約領域として予め設けられ、前記選択済みバンドの前記共用予約領域内に未使用の共用セクタがない場合には、前記共通オーバフロー領域内の次に利用可能な未使用の校正セクタとして動的に割当られている未使用の追加の共用セクタまでシークするステップと、
前記未使用の校正セクタに複数の書込み出力レベルを使用して複数の書込み出力校正パターンを書込むステップと、
前記校正セクタから前記校正パターンを読取るステップと、
前記読取り校正パターンの品質に基づいて、前記光ディスク上のバンド内のユーザ・データ・セクタにデータを記録するために用いられる書込み出力値を決定するステップと、
を含む請求項１記載の方法。
【請求項３】
前記決定された書込み出力値を使用して、所定のデータを所定のユーザ・データ・セクタに記録するステップと、
前記ユーザ・データ・セクタに記録された前記データを検査するステップと、
前記検査の結果の不合格に基づいて、スペア・データ・セクタへの再記録プロセスの開始が決定され、前記不合格ユーザ・データ・セクタに関連づけられて選択されたバンドの共用予約領域内の次に利用可能な未使用のスペア・データ・セクタとして動的に割当られている未使用の共用セクタまでシークするステップと、
前記未使用のスペア・データ・セクタに前記所定のデータを再記録するステップと、
前記スペア・データ・セクタに記録された前記所定のデータを検査するステップと、
を含む請求項１記載の方法。
【請求項４】
前記選択済みバンドの前記共用予約領域内で未使用の共用セクタまでシークする前記ステップは、未使用の共用セクタが未使用の校正セクタとして割当てられる場合には前記共用予約領域の上位（または下位）のアドレス側にもっとも近い未使用の前記共用セクタまでシークするステップを含み、未使用の共用セクタが未使用のスペア・データ・セクタとして割当られる場合には、前記共用予約領域の下位（または上位）のアドレス側にもっとも近い未使用の前記共用セクタまでシークするステップを含む請求項３記載の方法。
【請求項５】
前記選択済みバンドの前記共用予約領域内に未使用の共用セクタがない場合には、
前記ディスクに予め設けられ、各セクタが校正セクタ及びスペア・データ・セクタとして共用される複数の追加の共用セクタから成る共通オーバフロー領域内の次に利用可能な未使用のスペア・データ・セクタとして動的に割当られている未使用の追加の共用セクタまでシークするステップと、
前記未使用のスペア・データ・セクタに前記所定のデータを再記録するステップと、
前記スペア・データ・セクタに記録された前記データを検査するステップと、
を含む請求項３記載の方法。
【請求項６】
前記選択済みバンドの前記共用予約領域内で未使用の追加の共用セクタまでシークする前記ステップは、前記未使用の追加の共用セクタが校正セクタとして割当られる場合には前記共用予約領域の上位（または下位）のアドレス側にもっとも近い未使用の追加の共用セクタまでシークするステップを含み、前記未使用の前記追加の共用セクタがスペア・データ・セクタとして割当られる場合には、前記共用予約領域の下位（または上位）のアドレス側にもっとも近い未使用の追加の共用セクタまでシークするステップを含む、
請求項５記載の方法。
【請求項７】
マルチセクタ書込み操作において再書込み不能な追記型光ディスクを装着してデータの読み書きを行う光ドライブ装置のレーザ書込み出力を校正する方法であって、
複数の記録バンドを持ち、各バンドが、校正セクタ及びスペア・データ・セクタとして共用可能な複数の共用セクタから成る共用予約領域並びにユーザ・データ・セクタとして専用される複数のセクタから成るユーザ領域に区分される再書込み不能な追記型光ディスクを、ドライブ装置に装着するステップと、
マルチセクタ書込み操作の間、選択されたバンド内の所定のユーザ・データ・セクタに所定の書込み出力値を使用してマルチセクタ・データの最初のデータを記録するステップと、
前記ユーザ・データ・セクタに記録された前記データを検査するステップと、
前記検査の結果の不合格に基づいて、レーザ書込み出力の校正プロセスが開始され、該校正プロセスでは、
前記選択済みバンドに関連して選択されたバンド内の共用予約領域を走査して次に利用可能な未使用の校正セクタとして動的に割当られている未使用の共用セクタまでシークするステップと、
前記未使用の校正セクタに複数の書込み出力レベルを使用して複数の書込み出力校正パターンを書込むステップと、
前記校正セクタから前記校正パターンを読取るステップと、
前記読取り校正パターンの品質に基づいて、前記光ディスク上のバンド内のユーザ・データ・セクタにデータを記録するために用いられる書込み出力値を決定するステップと、
前記校正プロセスに続いて、前記スペア・データ・セクタへの再記録プロセスが開始され、該再記録プロセスでは、
前記共用予約領域内の次に利用可能な未使用のスペア・データ・セクタとして動的に割当られている未使用の共用セクタまでシークするステップと、
前記未使用のスペア・データ・セクタに前記最初のデータを再記録するステップと、
前記スペア・データ・セクタから読取られた前記最初のデータを検査するステップと、
前記再記録プロセスに続いて、
前記校正プロセスで決定された書込み出力値を使用して、前記マルチセクタ・データの次々のデータを、それぞれ、前記ユーザ・データ・セクタの次々のセクタに記録するステップと、
を含む方法。
【請求項８】
複数のデータ・バンドを持ち、各バンドが、校正セクタ及びスペア・データ・セクタとして共用可能な複数の共用セクタから成る共用予約領域並びにユーザ・データ・セクタとして専用される複数のセクタから成るユ―ザ領域に区分される光学式ＷＯＲＭディスクにデータを記録する装置であって、ローダ機構、前記光ディスクを装着可能なスピンドル・モータ、ホスト・デバイスとの間でデータと命令を転送／受信するインタフェース、レーザ光源、前記光ディスクとの間でデータを記録／読取る光ヘッド、前記光ヘッドを移動させるアクチュエータ、並びに前記ローダ機構、前記スピンドル・モータ、前記インタフェース、前記光ヘッド及び前記アクチュエータに電気的に接続されそれらの各操作を指示するためのプロセッサを含むコントローラから成る記録装置において、
前記コントローラが、
レーザ書込み出力の校正プロセスを開始すべきであると決定した場合には、レーザ光ビームを、前記共用予約領域のうちで次に利用可能な未使用の校正セクタとして動的に割当られている未使用の共用セクタに向けさせる手段と、
前記未使用の校正セクタに校正パターンを書込ませる手段と、
前記校正パターンを読取り、調整された書込み出力レベルを決定する手段と、書込み出力レベルを前記調整された書込み出力レベルにセットさせる手段と、前記調整された書込み出力レベルを使用して、前記ユーザ領域の所定のデータ・セクタに所定のデータを記録させる手段と、
前記記録された所定のデータを検査させる手段と、
前記検査の結果の不合格に基づいてスペア・セクタへの再記録プロセスを開始すべきであると決定して、前記光ビームを、前記共用予約領域のうちで次に利用可能な未使用のスペア・データ・セクタとして動的に割当られている未使用の共用セクタに向けさせる手段と、
前記未使用のスペア・データ・セクタに前記所定のデータを再記録させる手段と、
を含むデータ記録装置。
【請求項９】
前記光ビームを未使用の校正セクタとして割当られている未使用の共用セクタに向ける前記手段は、光ビームを前記共用予約領域の上位（または下位）のアドレス側のセクタに向ける手段を含み、
光ビームを未使用のスペア・データ・セクタとして割当られている未使用の共用セクタに向ける前記手段は、光ビームを前記予約領域の前記下位（または上位）のアドレス側のセクタに向ける手段を含む、
請求項８記載のデータ記録装置。
【請求項１０】
所定のユーザ・データ・セクタに所定のデータを記録する前記手段は、前記所定のユーザ・データ・セクタのアドレスを前記所定のユーザ・データ・セクタの第１ワードに記録し、前記共用予約領域の開始アドレスを前記所定のユーザ・データ・セクタの第２ワードに記録し、レーザ書込み出力レベルを前記所定のユーザ・データ・セクタの第３ワードに記録する手段を含む請求項８記載のデータ記録装置。
【請求項１１】
各バンドの前記予約領域に割り振られる複数のセクタを示す入力をユーザから受信する手段と、
各バンドの各予約領域の開始アドレスと終了アドレスを決定する手段と、を含む請求項８記載のデータ記録装置。
【発明の詳細な説明】
【０００１】
【発明の属する技術分野】
本発明は光学式記憶デバイスに関し、特に追記型光学式記憶装置のスペア及び校正のセクタ管理に関する。
【０００２】
【従来の技術】
情報が光学式媒体に記録されるときは、記録マークが適切に形成されるようにレーザ出力レベルが設定される。マークは、再書込み可能な光磁気（ＭＯ）ディスク上のスポットの反射偏光の変化、追記型ディスク（ablative write-once disk）の表面に焼き付けられたピット、または相変化型（ＰＣ）ディスクの非晶性領域と結晶性領域の間の反射率の変化、によって表わされる。しかし、光ディスク・ドライブが生産されるときにレーザ出力が一定であっても、多くの要因により、そのような一定化が最適ではなくなることがある。例えば、異なるメーカーの２つの媒体、或いは同じメーカーの異なる量産品からの２つの媒体でも、特性はわずかに異なることがあり、従って同じレーザ出力レベルの印加に対しても反応がわずかに異なり得る。最適レーザ出力レベルに影響を与える他の要因として、ドライブと媒体の使用年数、ドライブの動作温度、媒体の温度及び媒体とドライブの温度差、媒体汚染の程度、レーザ・スポット・サイズの変化、焦点合わせ／トラッキング・センサのオフセット等がある。
【０００３】
その結果、使用中にドライブの自動校正を行なう手法が開発されている。ある手法では、校正パターン（ユーザ・データと間違えられない）が、レーザ出力レベルを変えて１つ以上のセクタに記録される。セクタは読取られ、読取り信号振幅、マーク・エッジ・ジッタ、マーク・ピーク・パルス位置、マーク／スペース・シンメトリ、マーク長等のパラメータをもとに、記録操作に最適なレーザ出力レベルが選択される。校正は、例えばドライブの電源が入る度に、所定間隔で、或いは検査操作が失敗する度に実行できる。校正がＭＯディスク（或いは他の再書込み可能な媒体）で行なわれる場合、先に校正に用いられたセクタは消去して再使用できる。従って、そのようなセクタだけが使用可能となる必要がある。しかし逆に、校正がＷＯＲＭ（write-once, read many）ディスクで行なわれるときは、先に校正に用いられたセクタは再使用できない。ディスクが新しいときは多くの校正セクタが使用できるのがよい。特に最近提案されている１３０ｍｍ、１面当たり１．３ＧＢのＷＯＲＭ媒体では、多くの校正セクタの必要性が重要になることがある。この媒体は、記録方式がＰＷＭ（パルス幅変調）であるのに対して、現在一般的な１３０ｍｍ、１面当たり３２５ＭＢのＷＯＲＭ媒体は、ＰＰＭ（ピーク・パルス変調）記録方式である。記録容量が４倍になったのは、主として記録密度の増加、マーク・サイズの減少、及びＰＷＭ記録方式の採用による。ＰＷＭでは、遷移により情報がエンコードされるのでマーク／スペース書込みの要求精度が高い。またＰＷＭは、マークの長さが変化するので、良質なマークの形成に対する要求レベルも高くなる。こうした要因はすべて、エッジの位置決め精度の高い、良質なマークを形成するため、最適な書込み出力に対する要求を増やす結果になる。実際、ある動作環境によっては、求められるデータの信頼性と性能を達成するために、ディスクが装着される度にドライブを校正しなければならないことがある。校正セクタすべてが用いられる場合は、適切なレーザ書込み出力レベルを保証できなくなるので、情報をディスクに記録できなくなることがわかる。
【０００４】
記録されたデータ・セクタが検査時に不良とされた場合、データは別のセクタに書込まれなければならない。ＷＯＲＭ媒体のあるディスク・フォーマット設定では、ディスクの領域が、欠陥のある"１次"セクタを交換するスペア・セクタとして取って置かれるが、その場合でも、スペア・セクタがなくなったときは、データを信頼して記録できなくなる。
【０００５】
【発明が解決しようとする課題】
前記の点を考慮した本発明の目的は、ＷＯＲＭ媒体上に、校正とスペア両方のセクタに割当てられた領域を設けることである。
【０００６】
本発明の他の目的は、ＷＯＲＭ媒体の初期化プロセスを提供して媒体上にスペアと校正両方のセクタのための領域を割当てることである。
【０００７】
本発明の他の目的は、校正とスペアのセクタの用法を改良したＷＯＲＭ媒体にデータを記録する光学式記憶装置を提供することである。
【０００８】
【課題を解決するための手段】
バンドが形成された追記型光ディスク上の校正とスペアのセクタを効率よく管理する装置及び方法が提供される。ディスク上の各バンドはユーザ・データ領域と予約領域を含む。この予約領域のセクタは、通常の書込み動作の間、ユーザ領域の不良セクタを交換するスペア・セクタとして使用される一方、書込み出力レベルの較正（以下、校正と言う）動作時には、校正セクタとして使用される共用予約領域である。スペアと校正のセクタは、予約領域の特定の独立した部分にあらかじめ割当てられることはなく、セクタは、予約領域の一端からスペア確保用に用いられ、また反対側から校正用に用いられる。また、トラッキングが困難にならないよう、スペア・セクタは、好適には、予約領域内の最下位アドレスを起点に用いられ、校正セクタは、最上位アドレスを起点に用いられる。
【０００９】
各予約領域に割当てられるセクタ数は、媒体が初期化されるとき設定される。例えば、媒体のメーカーは、出荷前に媒体を初期化して、ユーザが割当てを調整できないようにすることができる。ディスクが初期化されない状態で販売される際には、環境や使用パターンに合わせて媒体を変更及び調整するために、ユーザには、予約領域の相対サイズを選択するオプションを与えるか、いくつかのサイズから選択できるようにすることができる。
【００１０】
他の実施例では、バンドに関連した１次予約領域のセクタがすべてなくなった場合に用いられる、共通オーバフロー予約領域が置かれる。
【００１１】
ＷＯＲＭディスク上の各セクタには、セクタが用いられるときに記録されるＤＭＰ（欠陥管理ポインタ）領域がある。あるバンドのユーザ・データ領域内のセクタが記録されたとき、セクタのアドレスはＤＭＰの第１ワードに書込まれ、そのバンド用の予約領域の開始アドレスが第２ワードに書込まれる。セクタの書込みに用いられたレーザ出力レベルは第３ワードに書込まれる。あるバンドの予約領域内のセクタが不良セクタの代用として用いられるときは、ＤＭＰの第１ワードにスペア・セクタのアドレスが書込まれ、不良セクタのアドレスが第２ワードに書込まれる。スペア・セクタの書込みに用いられたレーザ出力レベルは第３ワードに書込まれる。予約領域内のあるセクタが校正セクタとして用いられるときは、書込み出力校正パターンが最初の２ワードに書込まれ、校正プロセスで最適であると確認された出力レベルが第３ワードに書込まれる。
【００１２】
またマルチセクタ書込み操作中にドライブを校正するための方法も提供される。最初のセクタは、ある特定のバンドのユーザ・データ領域に記録され、次に検査される。検査の結果がよければ、残りのセクタはユーザ・データ領域に記録される。しかし検査の結果、レーザ書込み出力の設定が正しくないとされた場合は校正が行なわれる。次に、新たに校正された出力レベルで、最初のセクタは予約領域にスペア・セクタとして記録され、残りのセクタはユーザ・データ領域に記録される。
【００１３】
【発明の実施の形態】
図１は、本発明を採用できるドライブ２の光学式記憶装置を示すブロック図である。ドライブ２は、追記型デバイス、ＷＯＲＭや再書込み可能な媒体を記録できる多機能デバイス等である。説明の便宜上、ドライブ２の各種構成要素は、再書込み可能な操作にしか関係しないものも含めて、図１では省略しており、説明も省いている。
【００１４】
ＷＯＲＭディスク１０は、スピンドル１４に装着可能であり、スピンドル・コントローラ１８の制御下でスピンドル・モータ１６により回転させることができる。図示していないが、ディスク１０をドライブ２にロードし、スピンドル１４の方へ下降させるローダ機構がある。ディスク動作が終了すると、ローダ機構はプロセスを逆にし、ディスクをドライブ２から排出する。ヘッドアーム・キャリッジ２０はディスク１０に対して径方向に移動可能で、対物レンズ２２を運び、ディスク１０上の数多いアドレス可能なトラックのいずれか１つのデータにアクセスする。ヘッドアーム・キャリッジ２０の径方向の運動はコース（coarse）・アクチュエータ２４によって制御される。
【００１５】
レーザ２８からのレーザ・ビーム２６（破線）は、各種の光学素子、光学電気素子３２を含む光信号処理部３０に向けられ、光学電子素子３２はレーザ・ビーム２６を対物レンズ２２を通してディスク１０の表面に向ける。レーザ２８はレーザ・コントローラ３４によって制御される。焦点合わせとトラッキングは、相対位置焦点センサ４０からの入力で、焦点合わせ／トラッキング回路３８により制御されるファイン（fine）・アクチュエータ３６によって行なわれる。
【００１６】
ドライブ２は、入出力インタフェース４２を通してホスト・デバイス４４と相互接続される。ディスク１０に記録されたデータはホスト・デバイス４４によって、入出力インタフェース４２を通してデータ・チャネル４６に転送される。ディスク１０から読取られたデータは、光信号から電気信号に変換された後、データ・チャネル４６と入出力インタフェース４２を通してホスト・デバイス４４に転送される。メモリ５０を含む（或いはそれと相互接続された）マイクロプロセッサ４８はドライブ２の構成要素と相互接続され、その動作を指示する。
【００１７】
図２は、本発明に従ってフォーマットされたＷＯＲＭディスク１０の概略図である。ＩＤ（内径）１０２を起点に径方向にＯＤ（外径）１０４の方に伸びているのは制御領域で、これは位相エンコード部（ＰＥＰ）１０６、標準フォーマット部（ＳＦＰ）１０８、及びメーカー領域（ＭＦＧ）１１０を含む。ＳＦＰとＭＦＧの複製（図示なし）がＯＤ１０４に置かれる。ディスク１０には、ＩＤ１０２とＯＤ１０４の間に螺旋状の１本のトラックが伸びている（螺旋は逆方向に伸びていてもよい）。トラックはいくつか半径上のバンド１１２乃至１１７に分けられる（或いはまた１つのバンドで構成してもよい）。各バンドにアドレス可能な複数のトラックがあり、各トラックには複数のセクタがある。省略符１１４はバンド１１３と１１５の間の複数のバンドを表す。提案されている４Ｘ  ＷＯＲＭフォーマットの場合、ディスク１０には３４のバンドがあり、外側（バンド０）から内側（バンド３３）まで番号がふられる。トラックとセクタも同様に外側から内側にアドレスが付加される。この構成はここに１例として挙げただけであり、本発明を限定するものとしてではない。
【００１８】
図３は、複数のセクタがある一般的なバンド１１３の部分概略図である。セクタはごく一部しか示していない（セクタ１３０乃至１３６、１４０、省略符１３８）。セクタ１４０等の代表的なセクタは、ヘッダ領域１４４と、ＤＭＰ（欠陥管理ポインタ）１４６を持つユーザ・データ１４２を含む。バンド１１３のセクタはユーザ・データ領域１６０と予約領域１７０に分けられる。各バンドのセクタ数は、ディスク１０が生産されるとき設定され、内バンドから外バンドに向かって増加する。しかし、以下で説明するが、ある実施例では、あるバンドで予約セクタのユーザ・セクタに対する比は、ディスクが初期化されるときにユーザが各ディスクについて決定でき、これにより各予約領域１７０の開始アドレスが設定される。或いはまた、この比率はディスク生産時に固定し、ユーザが設定できないようにすることもできる。
【００１９】
ユーザ・データ・領域１６０のあるセクタ（例えばセクタ１４０）のＤＭＰ１４６は４バイト・ワードを３つ格納する。これらは書込み操作時に記録される。第１ワードはセクタ１４０のアドレスを格納する。第２ワードは予約領域１７０の開始アドレスを格納し、予約領域１７０への汎用ポインタとして用いられるが、予約領域１７０内の特定のセクタは指示しない。第３ワードは、セクタ１４０の書込みに用いられたレーザ出力の値を格納する。
【００２０】
予約領域１７０内のセクタ（例えばセクタ１３０）にもＤＭＰ領域があるが、このＤＭＰの内容は、以下で述べるようにセクタがスペア・セクタとして用いられるか、または校正セクタとして用いられるかによって変化する。
【００２１】
書込み操作時にセクタ１４０にデータが記録されると、前記３つのワードがＤＭＰ１４６に記録される。セクタ１４０の読取り可能性が検査できない場合は、データは、予約領域１７０の未使用セクタ（セクタ１３２等、以下、スペア・セクタ）に記録される。このスペア・セクタは、次に利用できるブランク・セクタを探して予約領域１７０をスキャンするレーザ・ビーム２６により見つけられる。データの記録と同時に、スペア・セクタ１３２のアドレスがスペア・セクタ１３２のＤＭＰの第１ワードに記録され、交換された不良なセクタ１４０のアドレスが第２ワードに記録される。レーザ出力レベルは第３ワードに記録される。
【００２２】
レーザ書込み出力が、マイクロプロセッサ４８によって決定された通り、検査できないセクタ数等の所定基準を基に校正されるとき、ドライブ２のマイクロプロセッサ４８はレーザ・ビーム２６を、予約領域１７０の未使用セクタ（セクタ１３０等、以下、校正セクタ）に向ける。この校正セクタは、次に利用できるブランク・セクタを探して予約領域１７０をスキャンするレーザ・ビーム２６により見つけられる。
【００２３】
ＤＭＰの第１ワードと第２ワードにはマークのパターンが記録される。各マークは、異なるレーザ出力設定で記録される。ある実施例では、書込み出力レベルの全レンジが校正マークを記録するために用いられる。そこでドライブ２はマーク品質検査モードにされ、校正マークが"読取られ"、マイクロプロセッサ４８は、どの出力レベルで最適なマーク品質が得られるかを確認する。校正マークの書込みに用いられるレーザ出力設定は、校正マークが記録されると同時にＤＭＰの第３ワードに記録される。或いは、選択された出力レベルで記録された校正マークは、マーク品質について、書込まれた直後に検査でき、マークがマーク品質基準を満たす場合、マークの記録に用いられた出力レベルは、校正セクタのＤＭＰ領域の第３ワードに記録され、他の校正マークは書込まれない。しかしマークがマーク品質基準を満たさない場合は、他の校正マークが異なる出力レベルで記録され、マーク品質が検査される。１度の出力校正テストに校正セクタ全体を使用する代わりに、セクタを"マイクロセクタ"に分けることもできる。１つのマイクロセクタが各校正テストに使用でき、出力レベルはマイクロセクタのＤＭＰ領域に記録できる。適切な、或いは最適なレーザ出力レベルを決定するこの代替法は、一般に、予約領域１７０の使用スペースが前者の方法よりも少なくなり、１つの校正セクタを２回以上の校正操作に使用できることがわかる。
【００２４】
前記のように、校正セクタが不充分なまま使い尽くされることを防ぐために、レーザ出力は出来るだけ頻繁にではなく校正されるのが望ましい。そのために、デフォルトの出力レベルをマイクロプロセッサ４８にプログラムできる。記録操作の間に所定数のセクタが検査できない場合、すなわちレーザ出力レベルが正しくないと考えられる場合、マイクロプロセッサは校正手続きを開始することができる。マルチセクタ書込み操作中に用いられる別の実施例では、マルチセクタの最初のセクタのデータが記録されて、その読取り可能性の検査が試みられる。検査が正常に行える場合すなわち出力レベルが正しい場合、残りのセクタは同じレベルで記録される。しかし検査が正常に行なわれなかった場合、マイクロプロセッサ４８は校正が実行されることを決定する。次に、前記最初のセクタのデータが予約領域１７０のスペア・セクタに再書込みされ、残りのセクタは新たに校正された出力レベルでユーザ・データ・領域１６０に記録される。また残りのセクタが検査されたとき、次の書込みコマンドに備えて必要なら書込み出力レベルは再調整できる。これにより別の校正セクタを使用する必要性は更に減少する。
【００２５】
校正パターンは２Ｔマーク、６Ｔスペース、４Ｔマーク、及び６Ｔスペースを何度も繰り返すことで構成できる。書込まれたマークの熱効果の分離が、書込みパターンで可能である限り多くのパターンを使用できる。校正パターンは、過剰な書込みレーザ出力で書込まれた場合は、マークが大きすぎる結果になり、これは焦点合わせとトラッキングのプロセスに影響を与え、従ってレーザ・ビーム２６のトラック追従がうまくいかなくなる。また、校正セクタはエラー訂正コードや再同期化文字を含まないことがあり、従って、間違ったレーザ出力レベルで書込まれた場合には、信頼性については大きな欠陥のあるセクタと区別できず、ここでも分離が望ましいことになる。最後に、マイクロセクタを使用すると、校正セクタに記録されない領域が生じ、これは大きな媒体欠陥に見えるので、ここでも分離が望ましいことになる。そのため、校正セクタは、予約領域１７０でスペア・セクタと混ぜ合わせないようにする必要がある。これに代えて、スペア・セクタと校正セクタの混合を許容する実施例では、テーブルを使用することで、予約領域内のスペアに用いられるセクタと校正に用いられるセクタが識別される。従って校正セクタのデータ領域で読取りまたはトラッキングを信頼して行なう必要性は避けられる。この実施例の欠点は、そのようなテーブルを追記型媒体上に維持することで貴重なディスク・スペースが消費されることである。セクタがスペアに取られる、或いは校正セクタが書込まれる毎に、テーブルを更新しなければならず余分なスペースが消費される。予約領域１７０で、アドレス１セットをスペア・セクタに明示的に割当てること、また別のアドレス・セットを校正セクタに明示的に割当てることは可能ではあるが、このような所定の、変更できないスペースの割当ては、必ずしもあらゆる操作環境に適しているわけではない。例えば、データがディスクに比較的頻繁に書込まれる環境や、ディスクの抜き差しが頻繁に行なわれる環境、或いは１回の操作でごくわずかのデータしか記録されない環境では、動作パラメータが頻繁に変わり得る。そのような場合、再校正も頻繁に必要になると考えられ、データ・セクタまたはスペア・セクタがすべて消費される前に校正セクタがなくなってしまう。一方、通常は大きなデータ・ブロックが頻繁に記録されるような動作環境なら、動作パラメータは比較的安定しており、校正もあまり必要ではないが、スペア・セクタは増える可能性がある。従って、スペア・セクタと校正セクタの間でのセクタ割当ては、好適には、動的に行なうべきである。本発明では、予約領域１７０のある部分を、スペア確保や校正とのバランスのために割当てるのではなく、図４の矢印が示すように、スペア・セクタと校正セクタを予約領域１７０の両端から拡張するのが望ましい。更に、校正セクタに関連したトラッキングの問題のために、校正セクタは予約領域１７０の内端（上位アドレス）１７２から外端（下位アドレス）へと用い、スペア・セクタは外端１７４から内端へと用いるのが望ましい。従って、予約領域１７０の使用可能なスペースは、スペア確保や校正に用いられるセクタの相対数とは無関係に、予約領域１７０に空きセクタがなくなったときにのみ使い尽くされる。
【００２６】
本発明は、どのバンドでも予約領域１７０が一杯になっているときに用いられるスペア・セクタと校正セクタ用にディスク２に別の領域を提供する。最後のバンド１１７に、バンド１１７の予約領域と共に共通オーバフロー予約領域１１８が置かれる（図４）。最後のバンド１１７が、共通オーバフロー予約領域１１８に望ましい位置であるのは、通常、ドライブ性能はこのバンドで最低であり、このような用途にディスク１０上の高性能領域を採用するのは望ましくないからである。共通オーバフロー予約領域１１８は予約領域１７０と同じように用いられるが、２つ以上のバンドに関連したスペア・セクタ、校正セクタを格納できる。１次の予約領域１７０には、共通オーバフロー予約領域１１８のアドレスへのポインタはなくてもよいが、ドライブ２は、１次の予約領域１７０が一杯であるのを検出した場合、或いは不良ユーザ・セクタに対して先に記録されたものの代用としてスペア・セクタを予約領域１７０に見つけられなかった場合に、共通オーバフロー予約領域１１８までシークするようにプログラムできる。或いは、ドライブ２は、あるバンドの予約領域が一杯の場合は、校正を目的に、次に使用可能な予約領域まで（すなわち、ＩＤ１０２の方の次のバンドの予約領域まで）シークし、スペア確保のために共通オーバフロー予約領域１１８までシークするようプログラムできる（最適レーザ出力レベルはバンド間で変化し得るので、目的のバンドに出来るだけ近づけて校正を行なうのが望ましい）。
【００２７】
上述のように、予約領域１７０それぞれのサイズは、媒体メーカーが媒体を初期化する場合にはそのメーカーが、或いはユーザが、設定できる。後者なら、ユーザは、動作環境と条件をもとにして、ディスク全体でスペア・セクタと校正セクタがどのくらい必要かを決定する。この２つの和は、各バンドのセクタ総数（これはディスク・フォーマットによってはバンド間で変化し得る）をもとにバンド間で比例割当てされる。これに代えて、デフォルト数を設定することもでき、ユーザは、ディスク１０が初期化されるときにその値を２倍或いは３倍にすることもできる。マイクロプロセッサ４８はその場合、各バンドについて、各ユーザ・データ領域１６０と各予約領域１７０の開始アドレスと終了アドレス及び共通オーバフロー予約領域１１８の開始アドレスと終了アドレスを計算し、この情報をディスク１０のディスク構造テーブル（ＤＳＴ）セクタに記録する。マイクロプロセッサは、ＤＳＴの情報により、ホスト・デバイス４４から受信された論理ブロック・アドレスをディスク１０のトラックとセクタの物理アドレスに変換できる。
【００２８】
まとめとして、本発明の構成に関して以下の事項を開示する。
【００２９】
（１）光ドライブのレーザ書込み出力を校正する方法であって、
複数の記録バンドを持ち、各バンドに、校正セクタとスペア・セクタを含む予約領域があり、またユーザ・データ・セクタを含むユーザ領域がある追記型光ディスクを、ドライブ装置に装着するステップと、
光ヘッドを選択されたバンドに移動させるステップと、
レーザ書込み出力を校正するかどうかを決定するステップと、
レーザ書込み出力を校正する場合には、前記選択済みバンドの予約領域内の未使用の第１校正セクタまでシークするステップと、
前記第１校正セクタに情報フィールドを設定するステップと、
前記第１校正セクタに書込み出力校正パターンを書込むステップと、
前記第１校正セクタから前記書込み出力校正パターンを読取るステップと、
前記光ディスクの選択済みバンド内のユーザ・データ・セクタにデータを記録するために用いられる書込み出力値を決定するステップと、
を含む、方法。
（２）前記選択済みバンドの予約領域内に前記未使用の第１校正セクタがない場合には、
前記ディスクの共通オーバフロー領域内の未使用の第２校正セクタまでシークするステップと、
前記第２校正セクタに情報フィールドを設定するステップと、
前記第２校正セクタに書込み出力校正パターンを書込むステップと、
前記第２校正セクタから前記書込み出力校正パターンを読取るステップと、
前記光ディスクの選択済みバンド内のユーザ・データ・セクタにデータを記録するために用いられる書込み出力値を決定するステップと、
を含む、前記（１）記載の方法。
（３）前記選択済みバンド内の選択されたユーザ・データ・セクタに、決定された書込み出力値でデータを記録するステップと、
前記選択済みユーザ・セクタに記録されたデータを検査するステップと、
前記検査ステップの結果が不合格である場合は、前記選択済みバンドの予約領域内の未使用の第１スペア・データ・セクタまでシークするステップと、
第１スペア・データ・セクタに情報フィールドを設定するステップと、
前記第１スペア・データ・セクタにデータを記録するステップと、
前記第１スペア・データ・セクタに記録されたデータを検査するステップと、
を含む、前記（１）記載の方法。
（４）前記選択済みバンドの予約領域内の未使用の第１校正セクタまでシークする前記ステップは、前記予約領域の第１端にもっとも近い未使用セクタまでシークするステップを含み、
前記選択済みバンドの予約領域内の未使用の第１スペア・データ・セクタまでシークする前記ステップは、前記予約領域の第２端にもっとも近い未使用セクタまでシークするステップを含む、
前記（３）記載の方法。
（５）前記選択済みバンドの予約領域内に未使用の第１スペア・データ・セクタがない場合には、
前記ディスクの共通オーバフロー領域内の未使用の第２スペア・データ・セクタまでシークするステップと、
前記第２スペア・データ・セクタに情報フィールドを設定するステップと、
前記第２スペア・データ・セクタにデータを記録するステップと、
前記第２スペア・データ・セクタに記録されたデータを検査するステップと、
を含む、前記（３）記載の方法。
（６）前記選択済みバンドの予約領域内の未使用の第１校正セクタまでシークする前記ステップは、前記予約領域の第１端にもっとも近い未使用セクタまでシークするステップを含み、
前記選択済みバンドの予約領域内の未使用の第１スペア・データ・セクタまでシークする前記ステップは、前記予約領域の第２端にもっとも近い未使用セクタまでシークするステップを含み、
前記共通オーバフロー領域の未使用の第２校正セクタまでシークする前記ステップは、前記共通オーバフロー領域の第１端にもっとも近い未使用セクタまでシークするステップを含み、
前記共通オーバフロー領域の未使用の第２スペア・データ・セクタまでシークする前記ステップは、前記共通オーバフロー領域の第２端にもっとも近い未使用セクタまでシークするステップを含む、
前記（５）記載の方法。
（７）前記選択済みバンド内の選択済み第１ユーザ・データ・セクタに第１書込み出力値で第１データを記録するステップと、
前記選択済み第１ユーザ・データ・セクタに記録された前記第１データを検査するステップと、
前記検査ステップの結果が不合格である場合は、前記選択済みバンドの予約領域内の未使用の第１校正セクタまでシークするステップと、
前記設定、書込み、読取り、及び決定のステップを実行するステップと、
前記選択済みバンドの予約領域内の未使用の第１スペア・データ・セクタまでシークするステップと、
前記第１スペア・データ・セクタに情報フィールドを設定するステップと、
前記第１スペア・データ・セクタに第１データを記録するステップと、
前記第１スペア・データ・セクタに記録された前記第１データを検査するステップと、
前記光ヘッドを径方向に前記選択済みバンドまで移動させるステップと、
前記データの状態を前記選択済みバンドの第２セクタに、決定された書込み出力値で記録するステップと、
を含む、前記（１）記載の方法。
（８）内径位置と外径位置の間に伸びて、複数の論理トラックが複数のデータ・バンドに分けられた螺旋状のトラックと、
前記データ・バンドそれぞれの所定の数の１次データ・セクタと、
前記データ・バンドそれぞれにあり、所定の数のセクタを持ち、各セクタはスペア・セクタまたは校正セクタとして使用可能な予約領域と、
を含む、追記型光ディスク。
（９）  所定の数のセクタを持ち、各セクタはスペア確保または校正に使用可能な共通オーバフロー領域を含む、前記（８）記載の追記型光ディスク。
（１０）  前記共通オーバフロー領域に第１端と第２端があり、
記録操作中、前記共通オーバフロー領域内のセクタのスペア確保は、前記第１端にもっとも近い未使用セクタから前記第２端の方向に向かってなされ、前記共通オーバフロー領域内のセクタの校正は、前記第２端にもっとも近い未使用セクタから前記第１端へと反対方向に向かってなされる、
前記（９）記載の追記型光ディスク。
（１１）  前記予約領域それぞれに第１端と第２端があり、
記録操作中、前記予約領域内のセクタのスペア確保は、前記第１端にもっとも近い未使用セクタから前記第２端の方向に向かってなされ、前記予約領域内のセクタの校正は、前記第２端にもっとも近い未使用セクタから前記第１端へと反対方向に向かってなされる、
前記（８）記載の追記型光ディスク。
（１２）バンド内のセクタは、ヘッダ領域とユーザ・データ領域を含む、前記（８）記載の追記型光ディスク。
（１３）１次データ・セクタの前記データ領域は、
前記１次データ・セクタのアドレスを記録可能な第１部と、
前記バンドの前記予約領域のアドレスを記録可能な第２部と、
レーザ校正値が記録される第３部と、
を含む、前記（１２）記載の追記型光ディスク。
（１４）スペア・セクタの前記データ領域は、
前記スペア・セクタのアドレスを記録可能な第１部と、
前記バンドの不良１次データ・セクタのアドレスを記録可能な第２部と、
レーザ校正値が記録される第３部と、
を含む、前記（１２）記載の追記型光ディスク。
（１５）校正セクタの前記データ領域は、
校正パターンの少なくとも一部が記録可能な第１部と、
レーザ校正値が記録される第２部と、
を含む、前記（１２）記載の追記型光ディスク。
（１６）複数のデータ・バンドを持ち、各バンドはユーザ領域に第１複数のセクタと、予約領域に第２複数のセクタとを持つ光学式ＷＯＲＭディスクにデータを記録する装置であって、ローダ機構、前記光ディスクを装着可能なスピンドル・モータ、ホスト・デバイスとの間でデータと命令を転送／受信するインタフェース、レーザ光源、前記光ディスクとの間でデータを記録／読取る光ヘッド、前記光ヘッドを移動させるアクチュエータ、並びに前記ローダ機構、前記スピンドル・モータ、前記インタフェース、前記光ヘッド、及び前記アクチュエータの操作を指示するコントローラを有する装置において、
レーザ書込み出力の校正をいつ開始するかを決定するプロセッサと、
校正が開始される場合には、光ビームを前記レーザから前記予約領域の第１所定セクタに向ける手段と、
前記所定セクタに校正パターンを書込む手段と、
前記校正パターンを読取り、調整された書込み出力レベルを決定する手段と、
書込み出力レベルを前記調整された書込み出力レベルにセットする手段と、
前記ユーザ領域の所定データ・セクタに第１データを記録する手段と、
前記第１データを検査する手段と、
前記検査の結果が不合格である場合には前記光ビームを前記レーザから前記予約領域の第２所定セクタに向ける手段と、
前記第１データを前記第２所定セクタに再記録する手段と、
を含む、データ記録装置。
（１７）光ビームを前記予約領域の第１所定セクタに向ける前記手段は、光ビームを前記予約領域の第１端内の第１所定セクタに向ける手段を含み、
光ビームを前記予約領域の第２所定セクタに向ける前記手段は、光ビームを前記予約領域の、前記第１端とは反対側の第２端内の第２所定セクタに向ける手段を含む、
前記（１６）記載のデータ記録装置。
（１８）所定データ・セクタに第１データを記録する前記手段は、前記所定データ・セクタのアドレスを前記所定セクタの第１ワードに記録し、前記予約領域の開始アドレスを前記所定データ・セクタの第２ワードに記録し、レーザ書込み出力レベルを前記所定データ・セクタの第３ワードに記録する手段を含む、前記（１６）記載のデータ記録装置。
（１９）各バンドの前記予約領域に割当てられる第２複数のセクタを示す入力をユーザから受信する手段と、
各バンドの各予約領域の開始アドレスと終了アドレスを決定する手段と、
を含む、請求項１６記載のデータ記録装置。
【図面の簡単な説明】
【図１】本発明の光学式記憶装置のブロック図である。
【図２】本発明の追記型光ディスクの部分の概略図である。
【図３】本発明の追記型光ディスクの部分の概略図である。
【図４】追記型光ディスクの半径部分の概略図及び１バンドのある部分を示す拡大図である。
【符号の説明】
２  ドライブ
１０  ＷＯＲＭディスク
１４  スピンドル
１６  スピンドル・モータ
１８  スピンドル・コントローラ
２０  ヘッドアーム・キャリッジ
２２  対物レンズ
２４  コース・アクチュエータ
２６  レーザ・ビーム
２８  レーザ
３０  光信号処理部
３２  光学素子及び光学電子素子
３４  レーザ・コントローラ
３６  ファイン・アクチュエータ
３８  焦点合わせ／トラッキング回路
４０  相対位置焦点センサ
４２  入出力インタフェース
４４  ホスト・デバイス
４６  データ・チャネル
４８  マイクロプロセッサ
５０  メモリ
１０２  ＩＤ（内径）
１０４  ＯＤ（外径）
１０６  位相エンコード部（ＰＥＰ）
１０８  標準フォーマット部（ＳＦＰ）
１１０  メーカー領域（ＭＦＧ）
１１２、１１３、１１５、１１７  バンド
１１４、１３８  省略符
１１８  共通オーバフロー予約領域
１３０、１３１、１３２、１３３、１３４、１３５、１３６、１４０  セクタ
１３２  スペア・セクタ
１４２  ユーザ・データ
１４４  ヘッダ領域
１４６  ＤＭＰ（欠陥管理ポインタ）
１６０  ユーザ・データ領域
１７０  予約領域
１７２  内端（上位アドレス）
１７４  外端（下位アドレス）
【図１】
0003871229.tif 000002
【図２】
0003871229.tif 000003
【図３】
0003871229.tif 000004
【図４】
0003871229.tif 000005